(57)【要約】      （修正有）【課題】過大な電流が流れることを抑制しつつ、複数のプロジェクターを迅速に起動できるプロジェクションシステム、プロジェクター及び制御方法を提供すること。【解決手段】プロジェクションシステムは、第１及び第２プロジェクターを含む複数のプロジェクターを備え、第１プロジェクターは、第１光源ランプと、第１光変調装置５２と、第１投写光学装置５３と、第１点灯処理を含み、第１プロジェクターを初期化する第１初期化処理を実行する第１初期化処理部９６と、を有し、第２プロジェクターは、第２光源ランプと、第２光変調装置５２と、第２投写光学装置５３と、第２点灯処理を含み、第２プロジェクターを初期化する第２初期化処理を実行する第２初期化処理部９６と、を有し、第１初期化処理の少なくとも一部は、第２初期化処理の少なくとも一部と同時に実行され、第１点灯処理の開始タイミングと第２点灯処理の開始タイミングとはずれている。【選択図】図２
2016099495.tif 000002
【特許請求の範囲】
【請求項１】
画像を投写する第１プロジェクター及び第２プロジェクターを含む複数のプロジェクタ
ーを備えるプロジェクションシステムであって、
前記第１プロジェクターは、
第１光源ランプと、
前記第１光源ランプから出射された光を変調する第１光変調装置と、
前記第１光変調装置によって変調された光を投写する第１投写光学装置と、
前記第１光源ランプを点灯させる第１点灯処理を含み、前記第１プロジェクターを初期
化する第１初期化処理を実行する第１初期化処理部と、を有し、
前記第２プロジェクターは、
第２光源ランプと、
前記第２光源ランプから出射された光を変調する第２光変調装置と、
前記第２光変調装置によって変調された光を投写する第２投写光学装置と、
前記第２光源ランプを点灯させる第２点灯処理を含み、前記第２プロジェクターを初期
化する第２初期化処理を実行する第２初期化処理部と、を有し、
前記第１初期化処理の少なくとも一部は、前記第２初期化処理の少なくとも一部と同時
に実行され、
前記第１点灯処理の開始タイミングと前記第２点灯処理の開始タイミングとはずれてい
ることを特徴とするプロジェクションシステム。
【請求項２】
請求項１に記載のプロジェクションシステムにおいて、
前記第１初期化処理の開始タイミングと前記第２初期化処理の開始タイミングは同時で
あることを特徴とするプロジェクションシステム。
【請求項３】
請求項１又は請求項２に記載のプロジェクションシステムにおいて、
前記第２初期化処理部は、前記第１初期化処理部による前記第１点灯処理が完了した後
に、前記第２点灯処理を開始することを特徴とするプロジェクションシステム。
【請求項４】
請求項３に記載のプロジェクションシステムにおいて、
前記第１プロジェクターは、前記第１初期化処理部による前記第１点灯処理が完了した
ことを示す点灯完了信号を前記第２プロジェクターに送信する送信部を有し、
前記第２プロジェクターは、前記点灯完了信号を受信すると前記第２初期化処理部によ
る前記第２点灯処理を開始することを特徴とするプロジェクションシステム。
【請求項５】
請求項２又は請求項３に記載のプロジェクションシステムにおいて、
前記第１プロジェクターは、第１タイマーを有し、
前記第２プロジェクターは、前記第１タイマーに設定された時間とは異なる時間が設定
された第２タイマーを有し、
前記第１初期化処理部は、前記第１初期化処理が開始されてから前記第１タイマーに設
定された時間が経過したタイミングで前記第１点灯処理を開始し、
前記第２初期化処理部は、前記第２初期化処理が開始されてから前記第２タイマーに設
定された時間が経過したタイミングで前記第２点灯処理を開始することを特徴とするプロ
ジェクションシステム。
【請求項６】
請求項１から請求項５のいずれか１項に記載のプロジェクションシステムにおいて、
前記第１プロジェクター及び前記第２プロジェクターは、前記第１初期化処理及び前記
第２初期化処理のそれぞれが完了されるまで、ミュート状態を維持することを特徴とする
プロジェクションシステム。
【請求項７】
複数のプロジェクターを備えるプロジェクションシステムに用いられるプロジェクター
であって、
前記プロジェクターは、光源ランプと、
前記光源ランプから出射された光を変調する光変調装置と、
前記光変調装置によって変調された光を投写する投写光学装置と、
前記光源ランプを点灯させる第１点灯処理を含み、前記プロジェクターを初期化する初
期化処理を実行する第１初期化処理部と、
を有し、
前記第１初期化処理部は、前記複数のプロジェクターのうち他のプロジェクターを初期
化する第２初期化処理中に前記第１初期化処理の少なくとも一部を実行し、かつ、前記他
のプロジェクターの光源ランプを点灯させる第２点灯処理が開始された後に前記第１点灯
処理を開始することを特徴とするプロジェクター。
【請求項８】
複数のプロジェクターを備えるプロジェクションシステムに用いられるプロジェクター
の制御方法であって、
前記プロジェクターを初期化する初期化処理を、前記複数のプロジェクターのうち他の
プロジェクターにおける前記初期化処理の開始タイミングに応じて開始し、
前記初期化処理に含まれる光源ランプの点灯処理を、前記他のプロジェクターにおける
前記点灯処理の開始タイミングとは異なる開始タイミングにて開始することを特徴とする
制御方法。
【発明の詳細な説明】
【技術分野】
【０００１】
本発明は、プロジェクションシステム、プロジェクター及び制御方法に関する。
【背景技術】
【０００２】
従来、複数のプロジェクターを備え、それぞれのプロジェクターにより画像をスタック
投影又はマルチ投影する投影システムが提案されている（例えば、特許文献１参照）。
この特許文献１に記載の投影システムでは、複数のプロジェクターは、それぞれ通信部
、制御部、画像入力部、画像処理部、液晶駆動部及び基本電圧生成部を備える。このよう
な投影システムでは、複数のプロジェクターのうち１台のプロジェクターがマスター機と
して機能し、他のプロジェクターは、当該マスター機の指示の下で動作する。これにより
、液晶駆動部によって駆動される液晶パネルの駆動タイミングが制御され、表示画像のフ
リッカーの低減が図られる。
【先行技術文献】
【特許文献】
【０００３】
【特許文献１】特開２０１１−１２８１７５号公報
【発明の概要】
【発明が解決しようとする課題】
【０００４】
ところで、特許文献１に記載の投影システムでは、それぞれのプロジェクターを起動す
る場合には、各プロジェクターの電源をオンにする必要がある。この場合、当該投影シス
テムが有するプロジェクターの台数が多くなると、それぞれのプロジェクターを起動させ
る操作が煩雑となる。このため、例えば、１台のプロジェクターの電源がオンされると、
当該プロジェクターの起動処理（初期化処理）が開始されるとともに、他のプロジェクタ
ーに起動信号が送信され、当該起動信号が受信されると、他のプロジェクターによって起
動処理が開始される構成が考えられる。このような構成によれば、１台のプロジェクター
の電源をオンすることによって、全てのプロジェクターを起動させることができる。
【０００５】
しかしながら、プロジェクターが光源として光源ランプを有する場合には、上記起動処
理には、当該光源ランプの点灯処理も含まれる。このような場合、複数のプロジェクター
のそれぞれにて初期化処理が開始されると、光源ランプの点灯処理が同時に実行される可
能性が高い。この点灯処理が、複数のプロジェクターにて同時に実行される場合には、プ
ロジェクションシステムにおいて過大な電流が流れるという問題がある。
【０００６】
このような問題に対し、ある１台のプロジェクターの起動処理が完了した後、次のプロ
ジェクターが起動処理を開始するように、各プロジェクターを順番に起動させることも考
えられる。
しかしながら、このような場合には、ある１台のプロジェクターの起動処理が完了する
のを待ってから次のプロジェクターの起動処理が開始されるので、全てのプロジェクター
が起動して画像を投写するまでに多大な時間がかかるという問題がある。
【０００７】
本発明は、上述の課題の少なくとも一部を解決することを目的としたものであり、過大
な電流が流れることを抑制しつつ、複数のプロジェクターを迅速に起動できるプロジェク
ションシステム、プロジェクター及び制御方法を提供することを目的の１つとする。
【課題を解決するための手段】
【０００８】
本発明の第１態様に係るプロジェクションシステムは、画像を投写する第１プロジェク
ター及び第２プロジェクターを含む複数のプロジェクターを備えるプロジェクションシス
テムであって、前記第１プロジェクターは、第１光源ランプと、前記第１光源ランプから
出射された光を変調する第１光変調装置と、前記第１光変調装置によって変調された光を
投写する第１投写光学装置と、前記第１光源ランプを点灯させる第１点灯処理を含み、前
記第１プロジェクターを初期化する第１初期化処理を実行する第１初期化処理部と、を有
し、前記第２プロジェクターは、第２光源ランプと、前記第２光源ランプから出射された
光を変調する第２光変調装置と、前記第２光変調装置によって変調された光を投写する第
２投写光学装置と、前記第２光源ランプを点灯させる第２点灯処理を含み、前記第２プロ
ジェクターを初期化する第２初期化処理を実行する第２初期化処理部と、を有し、前記第
１初期化処理の少なくとも一部は、前記第２初期化処理の少なくとも一部と同時に実行さ
れ、前記第１点灯処理の開始タイミングと前記第２点灯処理の開始タイミングとはずれて
いることを特徴とする。
【０００９】
なお、初期化処理としては、上記点灯処理の他、画像に対して実行される所定の補正処
理の補正値を初期設定する処理や、光源ランプに供給される電力値を初期設定する処理等
を例示できる。また、第１初期化処理及び第２初期化処理において同時に実行される上記
少なくとも一部の処理は、点灯処理以外の処理であれば、どのような処理であってもよい
。更に、例えば、起動信号の入力に応じて各プロジェクターが初期化処理を開始する場合
に、当該起動信号が各プロジェクターに伝達されるまでの時間にずれがある場合も、上記
同時に含まれる。
上記第１態様によれば、第１プロジェクター及び第２プロジェクターのそれぞれの初期
化処理中に実行される第１点灯処理及び第２点灯処理の開始タイミングがずれているので
、例えば、光源ランプの点灯における比較的高い電圧が印加される期間（例えば絶縁破壊
を生じさせる期間）が重なることを抑制できる。これにより、過大な電流が発生すること
を抑制できる。更に、第１プロジェクター及び第２プロジェクターにおいて実行される初
期化処理の実行期間の少なくとも一部が重なることにより、第１プロジェクター及び第２
プロジェクターの一方にて初期化処理が完了された後に、他方にて初期化処理が開始され
る場合に比べて、複数のプロジェクターを迅速に起動できる。
【００１０】
上記第１態様では、前記第１初期化処理及び前記第２初期化処理の開始タイミングは、
同時であることが好ましい。
上記第１態様によれば、第１プロジェクターの第１初期化処理と第２プロジェクターの
第２初期化処理とが同時に開始されるので、各初期化処理の終了タイミングも略同一の可
能性が高まる。これにより、それぞれのプロジェクターにて初期化処理が開始されてから
、全てのプロジェクターにて初期化処理が完了されるまでの期間を短くすることができ、
複数のプロジェクターを更に迅速に起動できる。
【００１１】
上記第１態様では、前記第２初期化処理部は、前記第１初期化処理部による前記第１点
灯処理が完了した後に、前記第２点灯処理を開始することが好ましい。
上記第１態様によれば、第１点灯処理が実行される期間と第２点灯処理が実行される期
間とが重なることがないので、上記高い電圧が印加される期間が重なることを抑制できる
。従って、プロジェクションシステムにおいて過大な電流が発生することを確実に抑制で
きる。
【００１２】
上記第１態様では、前記第１プロジェクターは、前記第１初期化処理部による前記第１
点灯処理が完了したことを示す点灯完了信号を前記第２プロジェクターに送信する送信部
を有し、前記第２プロジェクターは、前記点灯完了信号を受信すると前記第２初期化処理
部による前記第２点灯処理を開始することが好ましい。
上記第１態様によれば、第２プロジェクターの第２初期化処理部は、第１点灯処理が完
了したことを示す点灯完了信号を第１プロジェクターから受信した後に、第２点灯処理を
実行する。これによれば、第１点灯処理の実行期間と第２点灯処理の実行期間とが重なる
ことを確実に抑制できる。従って、プロジェクションシステムにおいて過大な電流が発生
することをより確実に抑制できる。
【００１３】
上記第１態様では、前記第１プロジェクターは、第１タイマーを有し、前記第２プロジ
ェクターは、前記第１タイマーに設定された時間とは異なる時間が設定された第２タイマ
ーを有し、前記第１初期化処理部は、前記第１初期化処理が開始されてから前記第１タイ
マーに設定された時間が経過したタイミングで前記第１点灯処理を開始し、前記第２初期
化処理部は、前記第２初期化処理が開始されてから前記第２タイマーに設定された時間が
経過したタイミングで前記第２点灯処理を開始することが好ましい。
【００１４】
上記第１態様によれば、第１タイマー及び第２タイマーのそれぞれに設定された時間、
すなわち、それぞれの初期化処理が開始されてから点灯処理を開始するまでの時間がそれ
ぞれ異なる。これによれば、上記のように、第１初期化処理及び第２初期化処理が同時に
開始されることから、第１初期化処理中に実行される第１点灯処理の開始タイミングと、
第２初期化処理中に実行される第２点灯処理の開始タイミングと、を確実にずらすことが
できる。これにより、それぞれのプロジェクターにて上記高い電圧が印加される期間が重
なることを抑制できる。従って、過大な電流が発生することを確実に抑制できる。
【００１５】
上記第１態様では、前記第１プロジェクター及び前記第２プロジェクターは、前記第１
初期化処理及び前記第２初期化処理のそれぞれが完了されるまで、ミュート状態（後述）
を維持することが好ましい。
ここで、一般的なプロジェクションシステムでは、複数のプロジェクターのそれぞれは
、初期化処理が完了すると、ミュートを解除する。すなわち、一般的なプロジェクション
システムでは、例えば、それぞれのプロジェクターに入力された画像が表示されるタイミ
ングは、各プロジェクターにて異なることとなり、統一感がない印象を使用者又は観察者
に与えてしまう。
これに対し、上記第１態様では、第１プロジェクター及び第２プロジェクターのそれぞ
れにて初期化処理が完了した後にミュートが解除される。これによれば、これらプロジェ
クターから同時に、例えば上記入力された画像を投写できる。従って、第１及び第２プロ
ジェクターから投写される画像を使用者に同時に認識させることができ、使用者又は観察
者に統一感を感じさせることができる。
【００１６】
本発明の第２態様に係るプロジェクターは、複数のプロジェクターを備えるプロジェク
ションシステムに用いられるプロジェクターであって、前記プロジェクターは、光源ラン
プと、前記光源ランプから出射された光を変調する光変調装置と、前記光変調装置によっ
て変調された光を投写する投写光学装置と、前記光源ランプを点灯させる第１点灯処理を
含み、前記プロジェクターを初期化する初期化処理を実行する第１初期化処理部と、を有
し、前記第１初期化処理部は、前記複数のプロジェクターのうち他のプロジェクターを初
期化する第２初期化処理中に前記第１初期化処理の少なくとも一部を実行し、かつ、前記
他のプロジェクターの光源ランプを点灯させる第２点灯処理が開始された後に前記第１点
灯処理を開始することを特徴とする。
上記第２態様によれば、上記第１態様に係るプロジェクションシステムと同様の効果を
奏することができる。
【００１７】
本発明の第３態様に係る制御方法は、複数のプロジェクターを備えるプロジェクション
システムに用いられるプロジェクターの制御方法であって、前記プロジェクターを初期化
する初期化処理を、前記複数のプロジェクターのうち他のプロジェクターにおける前記初
期化処理の開始タイミングに応じて開始し、前記初期化処理に含まれる光源ランプの点灯
処理を、前記他のプロジェクターにおける前記点灯処理の開始タイミングとは異なる開始
タイミングにて開始することを特徴とする。
上記第３態様によれば、当該制御方法にてプロジェクションシステムを構成する各プロ
ジェクターを動作させることにより、上記第１態様に係るプロジェクションシステムと同
様の効果を奏することができる。
【図面の簡単な説明】
【００１８】
【図１】本発明の第１実施形態に係るプロジェクションシステムを示すブロック図。
【図２】上記第１実施形態に係るプロジェクターの構成を示すブロック図。
【図３】上記第１実施形態における光源装置を示す断面図。
【図４】上記第１実施形態における前処理及び初期化処理（点灯処理）を示すフローチャート。
【図５】上記第１実施形態における初期化処理を模式的に示す模式図。
【図６】本発明の第２実施形態に係るプロジェクションシステムを示すブロック図。
【図７】上記第２実施形態に係るプロジェクターの構成を示すブロック図。
【図８】上記第２実施形態におけ前処理及び初期化処理（点灯処理）を示すフローチャート。
【図９】上記第２実施形態における初期化処理を模式的に示す模式図。
【発明を実施するための形態】
【００１９】
［第１実施形態］
以下、本発明の第１実施形態を、図面に基づいて説明する。
［プロジェクションシステムの概略］
図１は、本実施形態に係るプロジェクションシステム１の構成を示すブロック図である
。
本実施形態に係るプロジェクションシステム１は、複数のプロジェクター２（２１〜２
４）を備え、当該複数のプロジェクター２から投写された画像をスタッキング又はタイリ
ングにて表示するものである。このプロジェクションシステム１は、詳しくは後述するが
、複数のプロジェクター２のそれぞれにおいて実行される初期化処理中に実行される光源
ランプ５１１（図３参照）の点灯処理の開始タイミングがそれぞれ異なることを特徴の１
つとしている。
【００２０】
このプロジェクションシステム１では、複数のプロジェクター２１〜２４は、それぞれ
カスケード接続にて接続されている。具体的には、複数のプロジェクター２１〜２４のう
ち、カスケード接続における最上流に位置する第１プロジェクター２１と第２プロジェク
ター２２とが接続され、当該第２プロジェクター２２と第３プロジェクター２３とが接続
され、当該第３プロジェクター２３とカスケード接続における最下流に位置する第４プロ
ジェクター２４とが接続されている。
このような接続形式により、詳しくは後述するが、最上流の第１プロジェクター２１か
ら送信された所定の動作信号は、第２プロジェクター２２、第３プロジェクター２３及び
第４プロジェクター２４に順次伝達される。このため、当該動作信号が起動信号であれば
、当該起動信号を受信したプロジェクター２は、当該起動信号を送信したプロジェクター
２（２１）とともに、初期化処理（起動処理）をそれぞれ開始することとなる。このよう
な初期化処理については、後に詳述する。
【００２１】
［プロジェクターの構成］
図２は、プロジェクター２の構成を示すブロック図である。
このようなプロジェクター２（２１〜２４）は、それぞれ同じ構成を有する。具体的に
、プロジェクター２１〜２４のそれぞれは、図２に示すように、操作装置３、電源装置４
、画像形成装置５、検出装置６、通信装置７、冷却装置８及び制御装置９を備える。
【００２２】
操作装置３は、プロジェクター２の天面等に設けられた操作パネルや、リモートコント
ローラー（図示省略）により構成されている。
これらのうち、操作パネルには、複数のキーが配設され、当該操作パネルは、入力され
たキーに応じた操作信号を、制御装置９に出力する。このようなキーとして、プロジェク
ター２の電源をＯＮ／ＯＦＦする電源キー、消費電力の低減等のために光源ランプの動作
モードを切り替える切替キー、外部から入力される画像情報に応じた画像の表示に代えて
ミュート画像を表示させるミュートキー等が挙げられる。
また、リモートコントローラーには、操作パネルと同様のキーが配設され、当該キーの
入力に応じた操作信号を、赤外線信号として、プロジェクター２に送信する。そして、プ
ロジェクター２に配設された受光部が、当該赤外線信号を受信して、対応する操作信号を
制御装置９に出力する。
【００２３】
電源装置４は、プロジェクター２を構成する各電子部品に電力を供給する。具体的に、
電源装置４は、制御装置９に電力を供給する他、当該制御装置９による制御の下、各電子
部品（例えば、後述する光源ランプ５１１）に電力を供給する。
このような電源装置４は、図示を省略するが、光源ランプ５１１（図３参照）を点灯さ
せるために、ダウンコンバーター（ダウンチョッパー）、インバーター回路及びイグナイ
ター回路を有する点灯装置を備える。
ダウンコンバーターは、外部から供給された商用交流電流を直流変換し、当該直流電流
の電圧変換（昇圧及び降圧）を実施する他、当該直流電流を整流する。
インバーター回路は、ダウンコンバーターから入力される直流電流から交流矩形波電流
を発生させる。
イグナイター回路は、光源ランプ５１１の電極Ｅ（図３参照）に高圧パルスを印加して
、当該電極Ｅ間の絶縁破壊を行い、当該光源ランプ５１１の始動を促す。
【００２４】
図３は、光源装置５１を示す断面図である。
画像形成装置５は、制御装置９から入力される駆動信号に応じて光束を変調し、当該画
像を前述の被投写面上に拡大投写する。この画像形成装置５は、図２に示すように、光源
装置５１、光変調装置５２及び投写光学装置５３を備える。
光源装置５１は、図３に示すように、光源ランプ５１１と、当該光源ランプ５１１に取
り付けられる主反射鏡５１２及び副反射鏡５１３とを備える。
【００２５】
このうち、光源ランプ５１１は、内部に一対の電極Ｅ（Ｅ１，Ｅ２）及び発光物質が封
入された放電空間Ｓを有する発光部５１１１と、当該発光部５１１１から互いに反対方向
に延出する封止部５１１２，５１１３と、一端が電極Ｅと接続され、他端が光源ランプ５
１１外に延出するリード線５１１４，５１１５とを備える。このような光源ランプ５１１
は、上記第１プロジェクター２１及び第２プロジェクター２２では、それぞれ第１光源ラ
ンプ及び第２光源ランプに相当する。
そして、光源ランプ５１１は、電源装置４の点灯装置から供給されるランプ電力に応じ
た輝度で点灯する。
【００２６】
図２に戻り、光変調装置５２は、光源ランプ５１１から出射された光束を変調して、上
記駆動信号に応じて光束を変調する。このような光変調装置５２として、透過型又は反射
型の液晶パネルを採用できる他、マイクロミラーを用いたデバイス等を採用できる。この
ような光変調装置５２は、上記第１プロジェクター２１及び第２プロジェクター２２では
、それぞれ第１光変調装置及び第２光変調装置に相当する。
投写光学装置５３は、変調された光束を拡大投写するものであり、鏡筒と、当該鏡筒内
に収納される複数のレンズとを備えた組レンズとして構成されている。このような投写光
学装置５３は、上記第１プロジェクター２１及び第２プロジェクター２２では、それぞれ
第１投写光学装置及び第２投写光学装置に相当する。
【００２７】
検出装置６は、電源装置４に接続されており、当該電源装置４により供給されるランプ
電力の電圧値及び電流値を検出する。そして、検出装置６は、検出された電圧値及び電流
値を、制御装置９に出力する。なお、検出装置６は、電圧値及び電流値の一方を検出する
構成であってもよい。
【００２８】
通信装置７は、本発明の送信部に相当し、複数のプロジェクター２のそれぞれが接続さ
れたプロジェクター、例えば、第２プロジェクター２２であれば、第１プロジェクター２
１及び第３プロジェクター２３と通信可能な通信モジュールを有する。この通信装置７は
、制御装置９の制御の下、接続されたプロジェクター２との間で情報を送受信する。例え
ば、第２プロジェクター２２の通信装置７は、第１プロジェクター２１から点灯処理が完
了した旨の点灯完了信号を受信し、当該第２プロジェクター２２の点灯処理が実行され、
当該第２プロジェクター２２の点灯完了信号を第３プロジェクター２３に送信する機能を
備える。
【００２９】
冷却装置８は、プロジェクター２外から導入した冷却空気を、当該プロジェクター２を
構成する各種発熱部品に送出して、これらを冷却する。例えば、冷却装置８は、光源ラン
プ５１１に冷却空気を送出して、当該光源ランプ５１１を冷却する。このような冷却装置
８は、当該冷却空気を吐出するファン８１を有し、当該ファン８１は、制御装置９から供
給されるファン電圧の電圧値に応じた回転速度（単位時間当たりの回転数）で駆動する。
【００３０】
制御装置９は、ＣＰＵ（Central Processing Unit）等の処理回路により構成され、プ
ロジェクター２の動作を自律的に、或いは、使用者の操作に応じて操作装置３から入力さ
れる操作信号に基づいて制御する。この制御装置９は、例えば、電源がＯＮされると、光
源ランプ５１１の点灯処理を含む初期化処理を実行する機能を有する。
このような制御装置９は、図２に示すように、記憶部９１、計時部９２、情報取得部９
３、動作制御部９４、画像処理部９５、初期化処理部９６及び通信制御部９７を備える。
【００３１】
［記憶部の構成］
記憶部９１は、プロジェクター２の動作に必要な各種プログラム及びデータを記憶して
いる。例えば、記憶部９１は、第１プロジェクター２１の電源がＯＮされると、光源ラン
プ５１１の点灯処理を含む初期化処理を実行するプログラムを記憶している。また、光源
ランプ５１１の点灯状態（発熱状態等）に合わせて、冷却装置８のファン８１の駆動を制
御するプログラムを記憶している。
また、記憶部９１は、プロジェクター２の初期化処理において使用される初期設定値を
記憶している。この初期設定値としては、画像処理部９５により画像に対して実行される
所定の補正処理の補正値や、光源ランプ５１１に供給される電力値が挙げられる。
【００３２】
［計時部の構成］
計時部９２は、後述する動作制御部９４の制御の下、光源ランプ５１１の点灯始動時か
らの経過時間を計時する。なお、計時部９２は、光源ランプ５１１の点灯始動時からの経
過時間に限らず、プロジェクター２の電源がＯＮ状態となり初期化処理の開始時からの経
過時間を計時する。
【００３３】
［情報取得部の構成］
情報取得部９３は、上流のプロジェクター２から送信され、通信装置７により受信した
上記起動信号、光源ランプ５１１の点灯処理が完了したことを示す信号（点灯完了信号）
、プロジェクター２のミュート状態を解除したことを示す信号（ミュート解除信号）を取
得し、記憶部９１に記憶する。
【００３４】
［動作制御部の構成］
動作制御部９４は、制御装置９の動作を制御し、ひいては、プロジェクター２全体の動
作を制御する。
例えば、動作制御部９４は、プロジェクター２の電源がＯＮされた場合や、上記起動信
号が受信された場合には、後述する前処理を実行し、更に、初期化処理を後述する初期化
処理部９６に実行させる。また、動作制御部９４は、プロジェクター２の初期化処理が完
了し、当該プロジェクター２が起動した後は、操作装置３の操作に基づくプロジェクター
２の電源のＯＮ／ＯＦＦ、光源ランプ５１１の点灯処理と同時に実行されるファン８１の
起動、及び、光源ランプ５１１の動作モードに基づいた電力値の調整を実行する。
【００３５】
［画像処理部の構成］
画像処理部９５は、動作制御部９４の制御の下、ＰＣ（Personal Computer）等の外部
機器（図示省略）から受信される画像情報（画像信号及び画像データを含む）を、画像形
成装置５に対応する画像情報に変換する。この際、画像処理部９５は、当該画像情報に対
して所定の補正処理を実施する。そして、画像処理部９５は、補正処理した画像情報に応
じた駆動信号を前述の画像形成装置５に出力する。
【００３６】
［初期化処理部の構成］
初期化処理部９６は、プロジェクター２を初期化する初期化処理を実行する。このよう
な、初期化処理には、光源ランプ５１１の点灯処理が含まれる。また、初期化処理には、
ミュート状態の設定及び解除処理の他、記憶部９１に記憶された画像処理部９５により画
像に対して実行される所定の補正処理の補正値を初期設定する処理や、光源ランプ５１１
に供給される電力値を初期設定する処理等が挙げられ、これらのうちいずれか一つを含ん
でいてもよいし、すべてを含んでいてもよい。
【００３７】
ここで、初期化処理に先駆けて動作制御部９４によって実行される前処理について説明
する。前処理は、電源がＯＮされたことを示す操作信号や、上流側のプロジェクター２か
ら起動信号が受信された場合に実行される処理であり、下流側のプロジェクター２に起動
信号を送信する処理である。
具体的には、最上流の第１プロジェクター２１の動作制御部９４は、電源がＯＮされた
ことを示す操作信号が入力されると、後述する通信制御部９７及び通信装置７により、上
記起動信号を下流の第２プロジェクター２２に送信する。また、第２プロジェクター２２
の動作制御部９４は、通信装置７を介して当該起動信号が入力されると、下流の第３プロ
ジェクター２３に起動信号を送信する。第３プロジェクター２３の動作制御部９４も同様
である。一方、第４プロジェクター２４の動作制御部９４は、下流のプロジェクター２が
存在しないので、前処理は実行しない。このような前処理により、各プロジェクター２１
〜２４に、電源がＯＮされたことを示す操作信号又は起動信号が入力又は受信される。
このように前処理の後、各プロジェクター２１〜２４の初期化処理部９６は、上記初期
化処理を実行する。すなわち、複数のプロジェクター２１〜２４の初期化処理は、同時（
起動信号の入力に応じて各プロジェクター２１〜２４が初期化処理を開始する場合に、当
該起動信号が各プロジェクター２１〜２４に伝達されるまでの時間にずれがある場合も、
上記同時に含まれる。）に実行され、それぞれの初期化処理の実行期間（実行期間とは、
例えば、ある処理が開始されてから終了するまでの期間をいう）の一部は重なった状態と
なる。なお、複数のプロジェクター２１〜２４のうちの２台、例えばプロジェクター２１
の初期化処理の少なくとも一部と、プロジェクター２２の初期化処理の少なくとも一部が
同時に実行するようにしてもよい。
【００３８】
この初期化処理には、上記のように、光源ランプ５１１の点灯処理が含まれ、当該点灯
処理は、初期化処理中のいずれかのタイミングで実行される。
本実施形態では、複数のプロジェクター２１〜２４の全てのプロジェクターにおいて初
期化処理が実行されている間において、まず、最上流の第１プロジェクター２１にて点灯
処理が開始され、当該点灯処理の完了後、第２プロジェクター２２の点灯処理が開始され
る。そして、上流側のプロジェクター２にて点灯処理が完了されると、下流側のプロジェ
クター２の点灯処理が開始される。このように、各プロジェクター２１〜２４において、
点灯処理が、順次実行される。
【００３９】
また、初期化処理部９６は、初期化処理の実行開始に合わせて、自身のプロジェクター
２のミュートを設定し、プロジェクター２１〜２４の全ての初期化処理が完了した後、自
身のプロジェクター２のミュートを解除する。
なお、本実施形態におけるミュートは、上記光変調装置により黒画像を形成することに
よって実現している。しかしながら、これに限らず、投写光学装置５３によって投写され
る画像をシャッター等によって遮蔽して実現する構成としてもよい。すなわち、入力され
る画像情報に応じた画像や、ロゴ等の画像が表示されなければ、どのような構成によって
ミュートを実現してもよい。
【００４０】
ここで、本実施形態に係る光源ランプ５１１の点灯処理は、放電状態に応じて以下の過
程を経ることにより、光源ランプ５１１が定常点灯状態に遷移する。
まず、初期化処理部９６による制御の下、電源装置４のイグナイター回路が、光源ラン
プ５１１の電極Ｅに高圧パルスを印加して、電極ＥＬ，ＥＲ間の絶縁を破壊させる。そし
て、光源ランプ５１１は、絶縁破壊後から一対の電極ＥＬ，ＥＲの先端間で安定して放電
（アーク放電）が開始される前の始動期間（グロー放電期間）を経て、アーク放電が開始
され、所定期間が経過すると定常点灯となる。
すなわち、光源ランプ５１１は、絶縁破壊、グロー放電、アーク放電期間を経て定常点
灯状態となる。
【００４１】
具体的に、絶縁破壊時の光源ランプ５１１に印加される高圧パルスの電圧値及び電流値
は、アーク放電、グロー放電及び定常点灯の各期間に比べて比較的高い。
このような比較的高い電圧及び電流が印加される期間（特に、絶縁破壊時）が全てのプ
ロジェクターで同時に発生すると、システム全体に過大な電圧及び電流が流れる。
これに対し、プロジェクションシステム１では、複数のプロジェクター２１〜２４のそ
れぞれにおける点灯処理の開始タイミング（点灯処理の実行期間）がずれているので、比
較的高い電圧が印加される期間が重ならないようになっている。これにより、過大な電圧
及び電流が発生することを抑制している。
【００４２】
通信制御部９７は、例えば、通信装置７を制御し、複数のプロジェクター２１〜２４の
それぞれから上記起動信号、点灯完了信号、ミュート解除信号等の各種情報を送受信させ
る機能を備える。
【００４３】
［初期化処理］
図４は、プロジェクションシステム１にて実行される上記前処理及び点灯処理を含む初
期化処理を示すフローチャートである。この点灯処理を含む初期化処理は、上記前処理の
実行後、プロジェクター２１〜２４のそれぞれに設けられた初期化処理部９６により実行
される。なお、図４以降の図において、プロジェクターをＰＪと略す場合がある。
まず、プロジェクター２の動作制御部９４は、情報取得部９３が起動信号を取得したか
否かを判定する（ステップＳ１１）。この起動信号には、上流のプロジェクター２１〜２
３から受信した起動信号の他、第１プロジェクター２１の操作装置３の使用者による電源
ＯＮ操作に基づいて、当該操作装置３から送信される操作信号を含む。
このステップＳ１１の判定処理にて、起動信号を取得していないと判定されると、動作
制御部９４は、処理をステップＳ１１に戻す。
一方、ステップＳ１１の判定処理にて、起動信号を取得したと判定されると、動作制御
部９４は、当該起動信号を取得したプロジェクター２（例えば、第２プロジェクター２２
）の電源をＯＮ状態とし、下流のプロジェクター（ＰＪ）２（例えば、第３プロジェクタ
ー２３）に通信制御部９７の制御により通信装置７を介して起動信号を送信する（ステッ
プＳ１２）。
【００４４】
この動作制御部９４の前処理の後、初期化処理部９６は、初期化処理を開始する（ステ
ップＳ１３）。
すなわち、上記のステップＳ１１〜Ｓ１３の処理が実行されることにより、第１プロジ
ェクター２１、第２プロジェクター２２、第３プロジェクター２３、第４プロジェクター
２４にて、略同一のタイミングで初期化処理がそれぞれ開始される。
そして、初期化処理部９６は、初期化処理の開始に合わせて、自身のプロジェクター２
をミュート状態に設定する（ステップＳ１４）。
【００４５】
この後、初期化処理部９６は、当該プロジェクター２が、カスケード接続における最上
流（先頭）のプロジェクターであるか否か、すなわち、第１プロジェクター２１であるか
否かを判定する（ステップＳ１５）。
このステップＳ１５の判定処理にて、第１プロジェクター２１であると判定されると、
初期化処理部９６は、処理をステップＳ１７に移行する。
【００４６】
一方、ステップＳ１５の判定処理にて、第１プロジェクター２１でないと判定された場
合、初期化処理部９６は点灯完了信号（上流のプロジェクターから、光源ランプ５１１の
点灯処理が完了した際に送信される信号）を受信したか否かを判定する（ステップＳ１６
）。
このステップＳ１６の判定処理にて、点灯完了信号を受信していないと判定された場合
、当該ステップＳ１６の処理を繰り返し実行する。
一方、ステップＳ１６の判定処理にて、点灯完了信号を受信したと判定された場合、初
期化処理部９６は、処理をステップＳ１７に移行する。
【００４７】
ステップＳ１７では、初期化処理部９６は、光源ランプ５１１の点灯処理を開始する。
そして、初期化処理部９６は、ステップＳ１７により開始された点灯処理が完了したか
否かを判定する（ステップＳ１８）。具体的には、初期化処理部９６は、検出装置６によ
り検出された光源ランプ５１１の電圧値及び電流値の少なくとも一方の検出結果に基づい
て、当該光源ランプ５１１の点灯処理が完了したか否かを判定する。これにより、点灯処
理が完了していないと判定された場合、初期化処理部９６は、当該ステップＳ１８の処理
を繰り返し実行する。
【００４８】
一方、ステップＳ１８により点灯処理が完了したと判定された場合、自身のプロジェク
ター２が最終（最下流）のプロジェクターであるか否か、すなわち、第４プロジェクター
２４であるか否かを判定する（ステップＳ１９）。
ここで、当該ステップＳ１９の判定処理にて、第４プロジェクター２４であると判定さ
れた場合、初期化処理部９６は、処理をステップＳ２２に移行する。
一方、ステップＳ１９の判定処理にて、第４プロジェクター２４でないと判定された場
合、初期化処理部９６は、通信装置７を介して下流のプロジェクター（例えば、自身のプ
ロジェクター２が第２プロジェクター２２であれば、第３プロジェクター２３）に点灯完
了信号を送信する（ステップＳ２０）。
【００４９】
この後、初期化処理部９６は、ミュート解除信号を受信したか否かを判定する（ステッ
プＳ２１）。この判定処理にて、ミュート解除信号を受信していないと判定された場合、
初期化処理部９６は、ステップＳ２１の判定処理を繰り返し実行する。
一方、ステップＳ２１の判定処理にて、ミュート解除信号を受信したと判定された場合
、初期化処理部９６は、処理をステップＳ２２に移行する。
【００５０】
ステップＳ２２では、初期化処理部９６は、ミュート解除信号を上流（前）のプロジェ
クター（例えば、第２プロジェクター２２であれば、第１プロジェクター２１）に通信装
置７を介して送信する。
その後、初期化処理部９６は、ミュートを解除する（ステップＳ２３）。
以上により、初期化処理は終了される。
【００５１】
［第１実施形態の効果］
図５は、各プロジェクター２１〜２４における初期化処理の進行状態を模式的に示す模
式図である。すなわち、図５は、当該進行状態を示すタイミングチャートである。
以上説明した実施形態に係るプロジェクションシステム１では、以下の効果がある。
本実施形態のプロジェクションシステム１では、図５に示すように、複数のプロジェク
ター２１〜２４のそれぞれの初期化処理中に実行される点灯処理の開始タイミングがずれ
ている。これによれば、光源ランプ５１１の点灯における比較的高い電圧が印加される期
間（例えば絶縁破壊を発生させる期間）が重なることを抑制できる。これにより、過大な
電流がシステム１全体にて発生することを抑制できる。また、複数のプロジェクター２１
〜２４において実行される初期化処理の実行期間の少なくとも一部が互いに重なることに
より、上流側のプロジェクター２の初期化処理の完了を待って下流側のプロジェクター２
にて初期化処理が開始される場合に比べて、システム１全体における初期化処理の実行期
間を短縮でき、当該複数のプロジェクター２１〜２４を迅速に起動できる。
【００５２】
プロジェクションシステム１では、図５に示すように、複数のプロジェクター２１〜２
４のそれぞれにおいて初期化処理が同時に開始されるので、各初期化処理の終了タイミン
グも略同一の可能性が高まる。これにより、それぞれのプロジェクターにて初期化処理が
開始されてから、全てのプロジェクターにて初期化処理が完了されるまでの期間を短くす
ることができ、複数のプロジェクターを更に迅速に起動できる。
【００５３】
プロジェクションシステム１では、図５に示すように、下流のプロジェクター２２〜２
４の初期化処理部９６は、上流のプロジェクター２１〜２３の初期化処理部９６による点
灯処理が完了した後に、点灯処理を実行するので、上流のプロジェクター２１〜２３の点
灯処理が実行される期間と下流のプロジェクター２２〜２４の点灯処理が実行される期間
とが重なることがないので、上記高い電圧が印加される期間が重なることを抑制できる。
従って、プロジェクションシステム１において過大な電流が発生することを確実に抑制で
きる。
【００５４】
下流のプロジェクター２２〜２４の初期化処理部９６は、点灯処理が完了したことを示
す信号である点灯完了信号を上流のプロジェクター２１〜２３から受信した後に、点灯処
理を実行する。これによれば、上流のプロジェクター２１〜２３の点灯処理の実行期間と
下流のプロジェクター２２〜２４の点灯処理の実行期間とが重なることを確実に抑制でき
る。従って、プロジェクションシステム１において過大な電流が発生することをより確実
に抑制できる。
【００５５】
ここで、一般的なプロジェクションシステムでは、複数のプロジェクターのそれぞれは
、初期化処理が完了すると、ミュートを解除する。すなわち、一般的なプロジェクション
システムでは、例えば、それぞれのプロジェクターに入力された画像が表示されるタイミ
ングは、各プロジェクターにて異なることとなり、統一感がない印象を使用者又は観察者
に与えてしまう。
これに対し、本実施形態のプロジェクションシステム１では、図５に示すように、複数
のプロジェクター２１〜２４は、初期化処理部９６によりそれぞれにて初期化処理が完了
した後にミュートが解除される。これによれば、複数のプロジェクター２１〜２４から同
時に、例えば上記入力された画像を投写できる。従って、複数のプロジェクター２１〜２
４から投写される画像を使用者に同時に認識させることができ、使用者又は観察者に統一
感を感じさせることができる。
【００５６】
［第２実施形態］
次に、本発明の第２実施形態について説明する。
本実施形態に係るプロジェクションシステムは、上記プロジェクションシステム１と同
様の構成を備えるが、複数のプロジェクターの接続形式が異なる。また、複数のプロジェ
クターの制御装置は、点灯処理の開始タイミングを示すタイマーを備える点で、上記プロ
ジェクター２の制御装置９と異なる。更に、動作制御部９４による上記前処理の手順が一
部異なる他、初期化処理部９６による初期化処理の手順が一部異なる。これらの点で、本
実施形態に係るプロジェクションシステムと上記プロジェクションシステム１とは、相違
する。なお、以下の説目では、既に説明した部分と同一又は略同一である部分については
、同様の符号を付して説明を省略する。
【００５７】
図６は、本実施形態に係るプロジェクションシステム１Ａを示す模式図である。
プロジェクションシステム１Ａは、図６に示すように、互いに無線通信により接続され
る複数のプロジェクター２Ａ（２Ａ１，２Ａ２，２Ａ３，２Ａ４）を備える。このため、
複数のプロジェクター２Ａ１〜２Ａ４のいずれかのプロジェクター２Ａ（例えば、第１プ
ロジェクター２Ａ１）の電源がＯＮされると、当該プロジェクター２Ａが他のプロジェク
ター２Ａ（例えば、第２〜第４プロジェクター２Ａ２〜２Ａ４）に起動信号を送信するこ
とにより、複数のプロジェクター２Ａ１〜２Ａ４のそれぞれが同時に初期化処理を実行す
る。
【００５８】
図７は、本実施形態に係るプロジェクター２Ａの構成を示すブロック図である。
このようなプロジェクター２Ａは、図７に示すように、通信装置７及び制御装置９に代
えて通信装置７Ａ及び制御装置９Ａを有する他は、上記プロジェクター２と同様の構成及
び機能を有する。
通信装置７Ａは、上記のように、他のプロジェクター２Ａと無線通信可能な通信モジュ
ールを有する。
【００５９】
制御装置９Ａは、上記制御装置９が有する各機能部９１〜９７に加えて、タイマー９８
を備えている。
このタイマー９８には、自身のプロジェクター２Ａが有する光源ランプ５１１を点灯さ
せる時間、具体的に、自身のプロジェクター２Ａが初期化処理を開始してから光源ランプ
５１１の点灯処理を開始するまでの時間が設定されている。例えば、本実施形態では、第
１プロジェクター２Ａ１及び第２プロジェクター２Ａ２のタイマー９８には、所定の時間
が設定され、第３プロジェクター２Ａ３及び第４プロジェクター２Ａ４のタイマー９８に
は、上記所定の時間と異なる時間（当該所定の時間より長い時間）が設定されている。な
お、タイマー９８に設定される時間は、初期化処理が開始されてから当該初期化処理が完
了するまでの期間より短い時間で、かつ、当該初期化処理が完了されるまでの間に点灯処
理が完了される時間が設定される。すなわち、当該時間は、初期化処理が開始されてから
、当該初期化処理が完了する時間から点灯処理に要する時間を差し引いた時間までの間の
時間である。
【００６０】
図８は、プロジェクションシステム１Ａにて実行される前処理及び初期化処理を示すフ
ローチャートである。
上記プロジェクター２Ａ１〜２Ａ４のそれぞれが有する動作制御部９４及び初期化処理
部９６は、図８に示す前処理及び初期化処理を実行する。なお、第１実施形態と同様の処
理については、同番号を付し、説明を省略する。
【００６１】
具体的に、プロジェクター２Ａの動作制御部９４は、自身のプロジェクター２Ａの電源
がＯＮされていない状態において、当該プロジェクター２Ａの操作装置３に対して電源Ｏ
Ｎ操作がされたか否かを判定する（ステップＳ３１）。
このステップＳ３１の判定処理にて、操作装置３に対する電源ＯＮ操作がなかったと判
定された場合、動作制御部９４は、他のプロジェクター２Ａ（例えば、第１プロジェクタ
ー２Ａ１であれば、第２〜第４プロジェクター２Ａ２〜２Ａ４のいずれか）から起動信号
が受信されたか否かを判定する（ステップＳ３２）。
ステップＳ３２の判定処理にて、起動信号を受信していないと判定された場合、動作制
御部９４は、処理をステップＳ３１に戻す。
一方、ステップＳ３１の判定処理にて、操作装置３の使用者による電源ＯＮ操作があっ
たと判定された場合、動作制御部９４は、処理をステップＳ３３に移行する。
【００６２】
上記ステップＳ３１の判定処理にて、操作装置３に対する電源ＯＮ操作があったと判定
された場合、動作制御部９４は、他の全てのプロジェクター２Ａ（上記第２〜第４プロジ
ェクター２Ａ２〜２Ａ４）に起動信号を送信する（ステップＳ３３）。そして、動作制御
部９４は、処理をステップＳ１３に移行する。また、上記ステップＳ３２の判定処理にて
、他のプロジェクター２Ａからから起動信号が受信されたと判定された場合も同様に、動
作制御部９４は、処理をステップＳ１３に移行する。
【００６３】
ステップＳ１３では、動作制御部９４は、初期化処理部９６に上記初期化処理を実行さ
せる。
すなわち、複数のプロジェクター２Ａ１〜２Ａ４のいずれかの操作装置３に対して電源
をＯＮする操作が実施されると、操作されたプロジェクター２Ａの動作制御部９４は、通
信装置７Ａを介して起動信号を他のプロジェクター２Ａに送信するので、全てのプロジェ
クター２Ａ１〜２Ａ４にて、同時に初期化処理が開始される。
このステップＳ１３の後、初期化処理部９６は、初期化処理を開始し、プロジェクター
２Ａをミュート状態に設定する（ステップＳ１４）。
【００６４】
次に、初期化処理部９６は、タイマー９８に設定された点灯タイミングになったか否か
を判定する（ステップＳ３４）。具体的に、初期化処理部９６は、初期化処理が開始され
てからの経過時間が、タイマー９８に設定された時間に達したか否かを判定する。この時
間判定は、計時部９２によって計時されている時間に基づいて行われる。
ステップＳ３４の判定処理にて、タイマー９８に設定された点灯タイミングになってい
ないと判定された場合、初期化処理部９６は、当該ステップＳ３４の処理を繰り返し実行
する。
一方、ステップＳ３４の判定処理にて、タイマー９８に設定された点灯タイミングにな
ったと判定された場合、初期化処理部９６は、当該初期化処理の実行中に光源ランプ５１
１の点灯処理を開始する（ステップＳ１７）。
【００６５】
そして、初期化処理部９６は、初期化処理が完了したか否かを判定する（ステップＳ３
５）。ここで、初期化処理が完了していないと判定された場合、初期化処理部９６は、当
該ステップＳ３５の処理を繰り返し実行する。
一方、初期化処理が完了したと判定された場合、初期化処理部９６は、初期化処理が完
了したことを示す初期化処理完了信号を他の全てのプロジェクター２Ａ（第１プロジェク
ター２Ａ１であれば、第２〜第４プロジェクター２Ａ４）に送信する（ステップＳ３６）
。
そして、初期化処理部９６は、他の全てのプロジェクター２Ａ（第２〜第４プロジェク
ター２Ａ４）から初期化処理完了信号を受信したか否かを判定する（ステップＳ３７）。
ここで、他の全てのプロジェクターから初期化処理完了信号を受信していないと判定さ
れた場合、すなわち、当該通知を受信していないプロジェクター２Ａが存在すると判定さ
れた場合には、初期化処理部９６は、当該ステップＳ３７の処理を繰り返し実行する。
【００６６】
一方、ステップＳ３７の判定処理にて、他の全てのプロジェクター２Ａ（第２〜第４プ
ロジェクター２Ａ４）から初期化処理完了信号を受信したと判定された場合、初期化処理
部９６は、ミュートを解除する（ステップＳ２３）。これにより、各プロジェクター２Ａ
は、それぞれに入力される画像情報に応じた画像を投写可能となる。
以上により、各プロジェクター２Ａにおける初期化処理が終了される。
【００６７】
［第２実施形態の効果］
図９は、初期化処理を模式的に示す模式図である。
以上説明した実施形態に係るプロジェクションシステム１Ａでは、以下の効果がある。
本実施形態のプロジェクションシステム１Ａでは、図９に示すように、第１及び第２プ
ロジェクター２Ａ１，２Ａ２及び第３及び第４プロジェクター２Ａ３，２Ａ４のそれぞれ
のタイマー９８に設定された時間、すなわち、それぞれの初期化処理が開始されてから点
灯処理を開始するまでの時間がそれぞれ異なる。これによれば、上記のように、複数のプ
ロジェクター２Ａ１〜２Ａ４のそれぞれにおいて初期化処理が同時に開始されることから
、第１及び第２プロジェクター２Ａ１，２Ａ２の初期化処理中に実行される点灯処理の開
始タイミングと、第３及び第４プロジェクター２Ａ３，２Ａ４の初期化処理中に実行され
る点灯処理の開始タイミングを確実にずらすことができる。これにより、第１及び第２プ
ロジェクター２Ａ１，２Ａ２の光源ランプ５１１の点灯における上記高い電圧が印加され
る期間と、第３及び第４プロジェクター２Ａ３，２Ａ４の上記高い電圧が印加される期間
とが重なることを抑制できる。従って、過大な電流が発生することを確実に抑制できる。
【００６８】
また、複数のプロジェクター２Ａ１〜２Ａ４のそれぞれにタイマー９８を設けているの
で、複数のプロジェクター２Ａ１〜２Ａ４のそれぞれにおいて、点灯処理が完了したこと
を示す信号である点灯完了信号を送信する必要がないので、より制御装置９Ａ、ひいては
、プロジェクションシステム１Ａの製造コストを低減できる。
【００６９】
［実施形態の変形］
本発明は、上記各実施形態に限定されるものではなく、本発明の目的を達成できる範囲
での変形、改良等は本発明に含まれるものである。
上記第１実施形態において、複数のプロジェクター２１〜２４のそれぞれにおいて実行
される初期化処理の開始タイミングは、同時であることとした。しかしながら、本発明は
、これに限らない。例えば、複数のプロジェクター２１〜２４のそれぞれにおいて実行さ
れる初期化処理が実行される期間の一部が重なっていれば、当該初期化処理の開始タイミ
ングは同時でなくてもよい。
【００７０】
上記第１実施形態において、複数のプロジェクター２１〜２４の初期化処理部９６は、
上流のプロジェクター２１〜２３の点灯処理が完了した後、下流のプロジェクター２２〜
２４の点灯処理を実行することとした。しかしながら、本発明は、これに限らない。例え
ば、点灯処理において比較的高い電圧及び電流が導通される期間（例えば上記絶縁破壊を
生じさせる期間）がずれていれば、点灯処理の一部が重なっていてもよい。
【００７１】
上記第２実施形態において、第１及び第２プロジェクター２Ａ１，２Ａ２の初期化処理
中に実行される点灯処理が完了した後、第３及び第４プロジェクター２Ａ３，２Ａ４の点
灯処理が実行されることとした。しかしながら、本発明は、これに限らない。例えば、上
記第１実施形態の変形例と同様に、点灯処理における上記絶縁破壊が行われるタイミング
がずれていれば、点灯処理の一部が重なっていてもよい。
【００７２】
上記第１実施形態では、初期化処理部９６は、検出装置６により検出された光源ランプ
５１１の電圧値及び電流値の少なくとも一方の検出結果に基づいて、当該光源ランプ５１
１の点灯処理が完了したか否かを判定することとした。しかしながら、本発明は、これに
限らない。例えば、点灯処理の開始からの経過時間を計時部９２により計時し、当該経過
時間が所定時間に達したと判定された場合に、点灯処理が完了したと判断して、上記点灯
完了信号を送信する構成としてもよい。
【００７３】
上記第１実施形態では、上流のプロジェクター２１〜２３は、通信装置７を介して点灯
処理が完了した際に当該点灯処理が完了したことを示す点灯完了信号を下流のプロジェク
ター２２〜２４に送信することとした。しかしながら、本発明は、これに限らない。例え
ば、点灯処理が開始されたことを示す信号（点灯処理開始通知信号）を送信することとし
てもよい。この場合、下流のプロジェクター２２〜２４は、当該信号を受信してから点灯
処理を開始することとしてもよい。また、下流のプロジェクター２２〜２４は、当該信号
を受信してから所定期間経過した後に点灯処理を開始することとしてもよい。このような
経過時間は、計時部９２によって計時される時間によって判断できる。これによれば、少
なくとも光源ランプ５１１の絶縁破壊が行われるタイミングがずれる可能性が高いので、
プロジェクションシステム１に過大な電流が発生することを抑制できる。
【００７４】
上記第２実施形態では、第１及び第２プロジェクター２Ａ１，２Ａ２のタイマー９８に
は、所定の時間が設定され、第３及び第４プロジェクター２Ａ３，２Ａ４のタイマー９８
には、上記所定の時間と異なる時間が設定されることとした。しかしながら、本発明は、
これに限らない。例えば、複数のプロジェクター２Ａ１〜２Ａ４のタイマー９８にそれぞ
れ異なる時間を設定することとしてもよい。これによれば、全てのプロジェクター２Ａ１
〜２Ａ４のそれぞれにおいて実行される点灯処理のタイミングを異ならせることができる
ので、プロジェクションシステム１Ａに過大な電流が発生することを更に抑制できる。
【００７５】
上記各実施形態では、複数のプロジェクター２１〜２４，２Ａ１〜２Ａ４の全てのプロ
ジェクターの初期化処理が完了するまで、ミュートを維持することとした。しかしながら
、本発明は、これに限らない。例えば、ミュートを維持することなく、初期化処理が完了
したプロジェクターから順にミュートを解除するようにしてもよい。
【００７６】
上記第１実施形態では、複数のプロジェクター２１〜２４は、カスケード形式で接続さ
れることとした。また、上記第２実施形態では、複数のプロジェクター２Ａ１〜２Ａ４は
、互いに無線通信により接続される構成とした。しかしながら、本発明は、これに限らな
い。すなわち、プロジェクションシステムを構成する複数のプロジェクターの接続形式は
、他のネットワーク接続形式（リング型、スター型及びツリー型等）でもよく、無線でも
有線でもよく、更には、無線接続及び有線接続が混在していてもよい。この際、例えば、
第１プロジェクター２１をマスターとして、当該第１プロジェクター２１の電源がＯＮさ
れると、他の第２〜第４プロジェクター２２〜２４に起動信号を送信し、当該信号に基づ
いて、第２〜第４プロジェクター２２〜２４の電源をＯＮ状態とすることとしてもよい。
【００７７】
上記各実施形態では、動作制御部９４が前処理を実行することとした。しかしながら、
本発明は、これに限らない。例えば、初期化処理部９６がステップＳ１１，Ｓ１２及びス
テップＳ３１〜Ｓ３３の処理を実行することとしてもよい。
上記各実施形態では、プロジェクションシステム１，１Ａは、複数のプロジェクター２
１〜２４，２Ａ１〜２Ａ４をそれぞれ４台ずつ備えることとした。しかしながら、本発明
は、これに限らない。例えば、プロジェクションシステム１，１Ａは、３台のプロジェク
ターを備えることとしてもよいし、５台以上のプロジェクターを備えることとしてもよい
。すなわち、プロジェクションシステム１，１Ａは、２台以上のプロジェクター２，２Ａ
を備えていればよい。
【符号の説明】
【００７８】
１，１Ａ…プロジェクションシステム、２…プロジェクター、２１，２Ａ１…第１プロ
ジェクター、２２，２Ａ２…第２プロジェクター、５…画像形成装置、５１…光源装置、
５１１…光源ランプ（第１光源ランプ及び第２光源ランプ）、５２…光変調装置（第１光
変調装置及び第２光変調装置）、７，７Ａ…通信装置（送信部）、９…制御装置、９４…
動作制御部、９６…初期化処理部（第１初期化処理部及び第２初期化処理部）、９８…タ
イマー（第１タイマー及び第２タイマー）。
【図１】
2016099495.tif 000003
【図２】
2016099495.tif 000004
【図３】
2016099495.tif 000005
【図４】
2016099495.tif 000006
【図５】
2016099495.tif 000007
【図６】
2016099495.tif 000008
【図７】
2016099495.tif 000009
【図８】
2016099495.tif 000010
【図９】
2016099495.tif 000011